(57)【要約】【課題】光を遠方まで届けやすくする。【解決手段】照明器具１は、光を放射する非常用光源ユニット４と、箱状に形成されて非常用光源ユニット４の少なくとも一部分を収容する器具本体１０とを備える。器具本体１０は、複数の壁（前板１１、底板１４、側板１５）を有する箱状に形成される。複数の壁のうちの一つの壁（底板１４）に凹所１６が設けられる。非常用光源ユニット４は、凹所１６の底面１６０に配置されている。凹所１６の底面１６０を囲む側面１６１は、底面１６０から遠ざかるに連れて非常用光源ユニット４との距離を大きくする向きに傾斜している。【選択図】        図１
2020077516.tif 000002
【特許請求の範囲】
【請求項１】
光を放射する発光部と、
箱状に形成されて前記発光部の少なくとも一部分を収容する器具本体と、
を備え、
前記器具本体は、複数の壁を有する箱状に形成され、
前記複数の壁のうちの一つの壁に凹所が設けられ、
前記発光部は、前記凹所の底面に配置されており、
前記凹所の前記底面を囲む側面は、前記底面から遠ざかるに連れて前記発光部との距離を大きくする向きに傾斜している、
照明器具。
【請求項２】
前記側面は、傾斜角度が一定な傾斜面である、
請求項１記載の照明器具。
【請求項３】
前記側面は、凹曲面である、
請求項１記載の照明器具。
【請求項４】
前記発光部は、
ＬＥＤと、
前記ＬＥＤから放射される光を広角に配光する配光部材と、
を有する、
請求項１〜３のいずれか１項に記載の照明器具。
【請求項５】
前記複数の壁のうちで前記凹所が設けられている第１の壁と隣り合う第２の壁に配置され、かつ、常用電源から給電されて発光する光源ユニットと、
光拡散性を有して前記光源ユニットに対向する透光部材と、
を備え、
前記発光部は、前記常用電源の停電時に非常用電源から給電されて発光し、
前記第２の壁は、前記第１の壁よりも鉛直上方に位置する、
請求項１〜４のいずれか１項に記載の照明器具。
【請求項６】
前記第１の壁が不燃材で形成されている、
請求項５記載の照明器具。
【発明の詳細な説明】
【技術分野】
【０００１】
本開示は、照明器具に関し、より詳細には、配光を制御するためのレンズを有する照明器具に関する。
【背景技術】
【０００２】
従来例として特許文献１記載の非常用照明器具を例示する。特許文献１記載の従来例は、階段の踊り場の壁などに設置され、非常時の避難通路となる階段や踊り場を照明する階段通路誘導灯である。従来例における器具本体は、直方体状に形成されている。器具本体の下面に凹所が設けられている。凹所の底面に、非常用光源であるハロゲンランプが設けられている。ハロゲンランプは、器具本体内に収容されている非常用電源（蓄電池）から供給される電力で点灯する。
【先行技術文献】
【特許文献】
【０００３】
【特許文献１】特開２０１２−１７４４８２号公報
【発明の概要】
【発明が解決しようとする課題】
【０００４】
ところで、特許文献１記載の従来例では、ハロゲンランプが配置されている凹所の内側面が、凹所の底面からほぼ垂直に起立している。そのため、ハロゲンランプから放射される光のうちで凹所の内側面に反射する光が遠方に届きにくい。
【０００５】
本開示の目的は、光を遠方まで届けやすい照明器具を提供することである。
【課題を解決するための手段】
【０００６】
本開示の一態様に係る照明器具は、光を放射する発光部と、箱状に形成されて前記発光部の少なくとも一部分を収容する器具本体とを備える。前記器具本体は、複数の壁を有する箱状に形成される。前記複数の壁のうちの一つの壁に凹所が設けられる。前記発光部は、前記凹所の底面に配置されている。前記凹所の前記底面を囲む側面は、前記底面から遠ざかるに連れて前記発光部との距離を大きくする向きに傾斜している。
【発明の効果】
【０００７】
本開示の照明器具は、光を遠方まで届けやすくできるという効果がある。
【図面の簡単な説明】
【０００８】
【図１】図１は、本開示の実施形態に係る照明器具の斜視図である。
【図２】図２は、同上の照明器具の分解斜視図である。
【図３】図３は、同上の照明器具の正面図である。
【図４】図４は、同上の照明器具の右側面図である。
【図５】図５は、同上の照明器具の下面図である。
【図６】図６は、同上の照明器具の部分断面図である。
【図７】図７は、同上の実施形態の変形例に係る照明器具の正面図である。
【図８】図８は、同上の変形例に係る照明器具の右側面図である。
【図９】図９は、同上の変形例に係る照明器具の下面図である。
【図１０】図１０は、同上の照明器具の別の変形例における要部の断面図である。
【図１１】図１１は、同上の照明器具の更に別の変形例における要部の断面図である。
【発明を実施するための形態】
【０００９】
以下、本開示の照明器具に係る実施形態について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１０】
実施形態に係る照明器具１は、非常灯及び階段通路誘導灯を兼用する非常用照明器具である。照明器具１は、例えば、集合住宅の共用部の廊下及び階段の壁面に直付けされる。ただし、本開示の照明器具は非常用照明器具に限定されない。
【００１１】
照明器具１は、常用電源（商用の電力系統など）から供給される常用電力で常用照明を行うとともに、常用電力で蓄電池（非常用電源５）を充電する。さらに、照明器具１は、常用電源の停電時に蓄電池（非常用電源５）から供給される非常用電力で非常用照明を行う。なお、以下の照明器具１に関する説明においては、特に断りのない限り、図１に矢印で示す前後、上下及び左右の各方向を照明器具１の前後、上下及び左右の各方向と規定する。例えば、照明器具１の前方向とは、照明器具１が直付けされる壁面から垂直方向（壁面の法線方向）に沿って離れる方向である。
【００１２】
照明器具１は、図１〜図６に示すように、器具本体１０、本体カバー２、常用光源ユニット３、非常用光源ユニット４、非常用電源５などを備える。
【００１３】
器具本体１０は、直方体形状の箱形に形成されている。器具本体１０の内部には、常用光源ユニット３に常用照明を行わせる常用点灯回路、非常用電源５を充電する充電回路、非常用光源ユニット４に非常用照明を行わせる非常用点灯回路などが収容されている。
【００１４】
器具本体１０は、正方形状の前板１１及び背板と、長方形状の天板及び底板１４と、同じく長方形状の一対の側板１５とを有している（図１〜図４参照）。正方形状の背板の上端から前方へ天板が突出し、背板の下端から前方へ底板１４が突出している。また、背板の左端及び右端のそれぞれから前方へ側板１５が突出している。なお、天板の左右両端と一対の側板１５の上端とは結合されている。同じく、底板１４の左右両端と一対の側板１５の下端とは結合されている。背板、底板１４及び一対の側板１５は、例えば、金属板によって一体に形成されることが好ましい。前板１１は、天板、底板１４及び一対の側板１５によって囲まれた空間（器具本体１０の内部空間）の前面を開閉可能に塞ぐように、背板の前面から前方に突出した一つ以上の取付台に取り付けられる。前板１１は、例えば、金属板で形成されている。
【００１５】
本体カバー２は、正方形状の前壁部２０と、長方形状の一対の側壁部２１とを有する。本体カバー２は、前壁部２０の端部と一対の側壁部２１のそれぞれの端部に囲まれた長方形状の一対の開口部２２を更に有する。一対の側壁部２１は、前壁部２０の左端及び右端から後方に向かって突出している。なお、前壁部２０と一対の側壁部２１は、アクリル樹脂又はポリカーボネート樹脂などの透光性を有する合成樹脂によって一体に形成されている（図１及び図２参照）。一対の開口部２２は、前壁部２０及び一対の側壁部２１の上端及び下端に設けられている（図１参照）。なお、本体カバー２は光拡散性を有している。
【００１６】
各側壁部２１の後端には、Ｌ字状の差込片２１０がそれぞれ後方へ突き出すように一体に形成されている（図２参照）。各差込片２１０は、器具本体１０の上方より、器具本体１０の前端部分の左右両端にそれぞれ設けられている差込溝に一つずつ差し込まれる（図２参照）。つまり、本体カバー２は、一対の差込片２１０の各々が器具本体１０の一対の差込溝の各々に一つずつ差し込まれることにより、器具本体１０に対して着脱可能に取り付けられる。
【００１７】
常用点灯回路は、常用電源から供給される交流電力を直流電力に変換し、変換した直流電力によって常用光源ユニット３に常用照明を行わせる。非常用電源５は、電気的に直列接続された複数の電池セルを有する。複数の電池セルの各々は、例えば、ニッケル・水素蓄電池である。充電回路は、常用電源から供給される交流電力を直流電力に変換し、変換した直流電力によって非常用電源５を充電する。非常用点灯回路は、常用電源の停電時に、非常用電源５から供給される直流電力によって非常用光源ユニット４に非常照明を行わせる。
【００１８】
常用光源ユニット３は、照明用白色ＬＥＤ（Light Emitting Diode）からなる常用ＬＥＤ３０、常用ＬＥＤ３０を支持するＬＥＤホルダ３１、常用ＬＥＤ３０から放射される光の配光を制御する常用レンズ３２を有する（図６参照）。常用光源ユニット３は、常用レンズ３２を前方から覆い、かつ、常用レンズ３２で配光制御された光（常用照明光）を拡散させるレンズカバー３３を更に有する（図２及び図３参照）。常用光源ユニット３は、器具本体１０の前面（前板１１の前面）の中央に取り付けられる（図１〜図３）。
【００１９】
常用レンズ３２は、図２に示すように、ガラス（例えば、石英ガラス）のような透光性を有する材料からなるレンズ本体３２０及びフランジ３２１を備える。フランジ３２１は、円環状に形成されている。フランジ３２１は、レンズ本体３２０の側面における一端（後端）から外向きに突出している。常用レンズ３２は、フランジ３２１が前板１１にねじ止めされることによって器具本体１０の前面中央に取り付けられる。
【００２０】
レンズカバー３３は、カバー本体３３０と、鍔部３３１とを有する。カバー本体３３０は、ドーム状に形成されている。カバー本体３３０は、常用レンズ３２を覆い隠すことのできる大きさに形成されている（図３及び図６参照）。鍔部３３１は、カバー本体３３０の周縁から外向きに突出する円環状に形成されている。カバー本体３３０と鍔部３３１は、アクリル樹脂又はポリカーボネート樹脂などの透光性を有する合成樹脂によって一体に形成されている。また、レンズカバー３３は、合成樹脂に混入される拡散材によって光拡散性を有している。レンズカバー３３は、鍔部３３１が前板１１にねじ止めされることによって器具本体１０の前面中央に取り付けられる。
【００２１】
常用ＬＥＤ３０から放射される光は、常用レンズ３２によって配光制御される。常用レンズ３２で配光制御された光（常用照明光）は、器具本体１０の前方に向かって上下及び左右方向に広がるように進行する。ただし、常用照明光の少なくとも一部は、レンズカバー３３（のカバー本体３３０）を透過する際に拡散される。
【００２２】
非常用光源ユニット４は、照明用白色ＬＥＤからなる非常用ＬＥＤ４０、非常用ＬＥＤ４０を支持するＬＥＤホルダ４１、非常用ＬＥＤ４０から放射される光の配光を制御する非常用レンズ４２を有する（図５及び図６参照）。
【００２３】
非常用レンズ４２は、非常用ＬＥＤ４０から放射される光（非常用照明光）を広角に配光する。さらに、非常用レンズ４２は、器具本体１０の前方向、下方向及び左右方向に非常用照明光を配光することが好ましい。なお、非常用レンズ４２の先端（下端）及びその周囲が内側（上側）に凹み、当該先端部分が器具本体１０の底板１４の外に出ないことが好ましい（図６参照）。これにより、非常用光源ユニット４の非常用照明光の照射範囲を更に広げることができる。
【００２４】
非常用光源ユニット４は、器具本体１０内の下部における左右方向の中央に収容される。ここで、器具本体１０の底板１４の中央には、器具本体１０の内部に向かって突出するように凹所１６が形成されている。凹所１６の底面１６０に円形の孔１６２が貫通している。また、凹所１６の側面は円すい台の側面に相当する形状、言い換えると、傾斜角度が一定である形状に形成されている。そして、非常用レンズ４２の一部が孔１６２を通して器具本体１０の外に突出している（図６参照）。したがって、非常用レンズ４２から出射する光の一部は、凹所１６の側面１６１に反射されることになる。
【００２５】
ところで、常用照明の光源と非常用照明の光源が一つの器具本体に収容される場合、これら二つの光源が難燃材料で区画されるか、あるいは、５ｃｍ以上離される必要がある（日本照明工業会規格  非常用照明器具技術基準  附属書８参照）。
【００２６】
そこで、照明器具１では、器具本体１０の底板１４に設けられた凹所１６の底（底面１６０）に非常用光源ユニット４が配置されている。つまり、照明器具１では、器具本体１０の底板１４が不燃材料（金属板）で形成されているため、凹所１６の側面１６１（底板１４）が壁となり、上記条件（規格）を満足させることができる。仮に器具本体１０に凹所１６が設けられず、平たんな底板１４の表面に非常用光源ユニット４が配置された場合、底板１４に投影された常用光源ユニット３と非常用光源ユニット４の距離を５ｃｍ以上離さなければならない。しかしながら、照明器具１では、底板１４に投影された常用光源ユニット３と非常用光源ユニット４の距離を５ｃｍよりも近付けることが可能であるので、器具本体１０の小型化を図ることができる。
【００２７】
ただし、凹所１６の側面が垂直（上下方向に平行）であると、非常用光源ユニット４から放射される非常用照明光が凹所１６の側面に遮られて遠方まで届きにくくなる可能性がある。そのため、照明器具１では、凹所１６の側面１６１が、底面１６０から遠ざかるに連れて非常用光源ユニット４との距離を大きくする向き（斜め下向き）に傾斜している。ゆえに、非常用光源ユニット４から放射される非常用照明光の一部は、側面１６１に反射して遠方まで届きやすくなる。
【００２８】
続いて、実施形態に係る照明器具１の変形例について、図７〜図９を参照して説明する。変形例の照明器具１は、本体カバー２が正方形の板状に形成されている点が実施形態に係る照明器具１と異なる。また、変形例の照明器具１は、電波センサ６を備えている点が実施形態に係る照明器具１と異なる。電波センサ６は、例えば、ミリ波帯の電波を送信し、かつ、物体に反射して戻る電波を受信する。電波センサ６は、電波の往復時間から物体までの距離を計測することにより、物体の存在を検知する。常用点灯回路は、電波センサ６が物体の存在を検知していない場合、常用光源ユニット３に常用照明を行わせない。一方、電波センサ６が物体の存在を検知している場合、常用点灯回路は、常用光源ユニット３に常用照明を行わせる。つまり、常用点灯回路は、人がいるときに常用光源ユニット３に常用点灯を行わせ、人がいないときに常用光源ユニット３に常用点灯を行わせないことによって、消費電力の低減を図ることでできる。
【００２９】
本体カバー２は、正方形の板状に形成されている。本体カバー２は、二つの支持部２３によって器具本体１０に取り付けられる（図７〜図９参照）。二つの支持部２３の各々は、台形状の支持片２３０と、支持片２３０の前端から突出する取付片２３１と、支持片２３０の後端から突出して器具本体１０に固定される固定片とを有する。各支持部２３は、前板１１の左右両端における上下方向の中央から支持片２３０及び取付片２３１を器具本体１０の前方へ突出させる。なお、各支持部２３の固定片は、器具本体１０内において底板１４にねじ止めされることが好ましい。各取付片２３１には、背面側からボルト２３２が取り付けられている。各取付片２３１に取り付けられたボルト２３２が（図９参照）、本体カバー２の左右両端に貫通する二つの貫通孔にそれぞれ１本ずつ通される。そして、本体カバー２の前面から突出する２本のボルト２３２のそれぞれに、つまみナット２４が締め付けられることにより、本体カバー２が二つの支持部２３に支持される（図７〜図９参照）。
【００３０】
ところで、実施形態及び変形例の各照明器具１において、凹所１６の側面１６１が凹曲面であっても構わない（図１０参照）。凹所１６の側面１６１が凹曲面であれば、側面１６１が円すい台の側面に相当する形状（傾斜角度が一定である形状）である場合に比べて、非常用光源ユニット４の非常用照明光の照射範囲は狭くなるものの、照射範囲における照度アップを図ることができる。
【００３１】
また、実施形態及び変形例の各照明器具１において、非常用レンズ４２の先端（下端）及びその周囲が外側（下側）に膨らみ、当該先端部分が器具本体１０の底板１４の外に出ても構わない（図１１参照）。
【００３２】
上述のように第１の態様に係る照明器具（１）は、光を放射する発光部（非常用光源ユニット４）と、箱状に形成されて発光部の少なくとも一部分を収容する器具本体（１０）とを備える。器具本体（１０）は、複数の壁（前板１１、底板１４、側板１５）を有する箱状に形成される。複数の壁のうちの一つの壁（底板１４）に凹所（１６）が設けられる。発光部は、凹所（１６）の底面（１６０）に配置されている。凹所（１６）の底面（１６０）を囲む側面（１６１）は、底面（１６０）から遠ざかるに連れて発光部との距離を大きくする向きに傾斜している。
【００３３】
第１の態様に係る照明器具（１）は、凹所（１６）の側面（１６１）が底面（１６０）から遠ざかるに連れて発光部との距離を大きくする向きに傾斜しているので、発光部から放射される光（非常用照明光）の一部が側面（１６１）に反射し、光（非常用照明光）を遠方まで届けやすくできる。
【００３４】
第２の態様に係る照明器具（１）は、第１の態様との組合せにより実現され得る。第２の態様に係る照明器具（１）において、側面（１６１）は、傾斜角度が一定な傾斜面であることが好ましい。
【００３５】
第２の態様に係る照明器具（１）は、光（非常用照明光）を更に遠方まで届けやすくできる。
【００３６】
第３の態様に係る照明器具（１）は、第１の態様との組合せにより実現され得る。第３の態様に係る照明器具（１）において、側面（１６１）は、凹曲面であることが好ましい。
【００３７】
第３の態様に係る照明器具（１）は、光（非常用照明光）の照射範囲を広げつつ、照射範囲における照度アップを図ることができる。
【００３８】
第４の態様に係る照明器具（１）は、第１〜第３の態様のいずれかとの組合せにより実現され得る。第４の態様に係る照明器具（１）において、発光部は、ＬＥＤ（非常用ＬＥＤ４０）と、ＬＥＤから放射される光を広角に配光する配光部材（非常用レンズ４２）とを有することが好ましい。
【００３９】
第４の態様に係る照明器具（１）は、光（非常用照明光）の照射範囲を広げることができる。
【００４０】
第５の態様に係る照明器具（１）は、第１〜第４の態様のいずれかとの組合せにより実現され得る。第５の態様に係る照明器具（１）は、複数の壁のうちで凹所（１６）が設けられている第１の壁（底板１４）と隣り合う第２の壁（前板１１）に配置され、かつ、常用電源から給電されて発光する光源ユニット（常用光源ユニット３）を備えることが好ましい。第５の態様に係る照明器具（１）は、光拡散性を有して光源ユニットに対向する透光部材（本体カバー２）を備えることが好ましい。発光部は、常用電源の停電時に非常用電源（５）から給電されて発光することが好ましい。第２の壁は、第１の壁よりも鉛直上方に位置することが好ましい。
【００４１】
第５の態様に係る照明器具（１）は、発光部と光源ユニットを第１の壁及び第２の壁によって隔てることができる。
【００４２】
第６の態様に係る照明器具（１）は、第５の態様との組合せにより実現され得る。第６の態様に係る照明器具（１）において、第１の壁が不燃材で形成されていることが好ましい。
【００４３】
第６の態様に係る照明器具（１）は、発光部と光源ユニットの距離を縮めて器具本体（１０）の小型化を図ることができる。
【符号の説明】
【００４４】
１  照明器具
２  本体カバー（透光部材）
３  常用光源ユニット（光源ユニット）
４  非常用光源ユニット（発光部）
５  非常用電源
１０  器具本体
１１  前板（壁；第２の壁）
１４  底板（壁；第１の壁）
１５  側板（壁）
１６  凹所
４０  非常用ＬＥＤ（ＬＥＤ）
４２  非常用レンズ（配光部材）
１６０  底面
１６１  側面
【図１】
2020077516.tif 000003
【図２】
2020077516.tif 000004
【図３】
2020077516.tif 000005
【図４】
2020077516.tif 000006
【図５】
2020077516.tif 000007
【図６】
2020077516.tif 000008
【図７】
2020077516.tif 000009
【図８】
2020077516.tif 000010
【図９】
2020077516.tif 000011
【図１０】
2020077516.tif 000012
【図１１】
2020077516.tif 000013